(57)【要約】      （修正有） 【課題】使用時のみに芳香を放つ埃取りシートを提供する。【解決手段】基材シート１に粘着剤層２が設けられ、粘着剤層２表面には剥離シート３が貼着されている。粘着剤層２には、香料６を合成樹脂膜５で囲繞してなるマイクロカプセルが混在乃至は内包されている。粘着剤層２の厚みは、マイクロカプセルの粒径よりも大きい方が好ましい。また、合成樹脂膜５は、メラミン樹脂等の硬化型樹脂で形成されているのが好ましい。粘着剤層２を構成する粘着剤としては、酢酸ビニル−アクリル酸エステル共重合体を用いるのが好ましい。この埃取りシートを用いて、衣服表面等を叩いて埃取りを行うと、その外力によって、合成樹脂膜５が破れて、香料６が揮発し芳香を放つ。なお、マイクロカプセルの内容物は、香料以外の抗菌剤や洗浄剤等を用いてもよい。【選択図】図１
0003134457.tif 000002
【実用新案登録請求の範囲】
【請求項１】
基材シートに粘着剤層が設けられてなる埃取りシートにおいて、該粘着剤層に、香料を合成樹脂膜で囲繞してなるマイクロカプセルが混在しており、埃取りの際の外力によって、該合成樹脂膜が破れて、該香料が揮発することを特徴とする埃取りシート。
【請求項２】
粘着剤層にマイクロカプセルが内包されている請求項１記載の埃取りシート。
【請求項３】
粘着剤層の厚みが、マイクロカプセルの粒径よりも大きい請求項１記載の埃取りシート。
【請求項４】
合成樹脂膜が硬化型合成樹脂膜である請求項１乃至３のいずれか一項に記載の埃取りシート。
【請求項５】
合成樹脂膜がメラミン樹脂膜である請求項４記載の埃取りシート。
【請求項６】
粘着剤が酢酸ビニル−アクリル酸エステル共重合体よりなる請求項１乃至５のいずれか一項に記載の埃取りシート。
【請求項７】
粘着剤層に剥離シートが貼着されている請求項１乃至６のいずれか一項に記載の埃取りシート。
【請求項８】
片面が離型処理された基材シートの非離型処理面に粘着剤層を設けて、ロール状に巻回されてなる請求項１乃至６のいずれか一項に記載の埃取りシート。
【請求項９】
基材シートに粘着剤層が設けられてなる埃取りシートにおいて、該粘着剤層に、液体成分を合成樹脂膜で囲繞してなるマイクロカプセルが混在しており、埃取りの際の外力によって、該合成樹脂膜が破れて、該液体成分が揮発又は放出することを特徴とする埃取りシート。
【考案の詳細な説明】
【技術分野】
【０００１】
本考案は、衣服等に付着した埃等を取る埃取りシートに関し、特に、埃を取る際に芳香を放つ埃取りシートに関するものである。
【背景技術】
【０００２】
従来より、衣服に付着した埃を取るための埃取りシートとして、基材シートの片面に粘着剤層を設けたものが用いられている。この埃取りシートは、それを手指で把持して、衣服表面を軽く叩くことにより、衣服に付着した埃を粘着剤層に転着して、埃を衣服表面から除去するというものである。
【０００３】
埃取りシートは、埃を取るためだけに使用されているが、これに更に芳香機能を付加することが試みられている。たとえば、埃取りシートの粘着剤層に香料を含浸又は付着させることが試みられている（特許文献１、２及び３）。また、埃取りシートの基材シートに香料を含有させることも試みられている（特許文献４）。
【０００４】
しかしながら、特許文献１〜４記載の技術は、いずれも、香料をそのまま粘着剤層に含有させたり、又は基材シートに含有させているため、埃取りシートの製造後から使用時までの間に、芳香を全部放出してしまい、現実の使用時には、もはや芳香が消失しているという欠点があった。
【０００５】
【特許文献１】実開平２−５５８７３号公報
【特許文献２】登録実用新案第３００５５４６号公報
【特許文献３】登録実用新案第３０６２５３７号公報
【特許文献４】実開昭６３−２２８６４号公報
【考案の開示】
【考案が解決しようとする課題】
【０００６】
本考案は、使用時のみに芳香を放つ埃取りシートを得ることを課題とするものである。本考案者は、この課題を解決するには、埃取りの際に負荷される外力の作用によって、芳香が生じるようにすればよいとの着想の下に、この課題を解決したものである。
【課題を解決するための手段】
【０００７】
すなわち、本考案は、基材シートに粘着剤層が設けられてなる埃取りシートにおいて、該粘着剤層に、香料を合成樹脂膜で囲繞してなるマイクロカプセルが混在しており、埃取りの際の外力によって、該合成樹脂膜が破れて、該香料が揮発することを特徴とする埃取りシートに関するものである。
【０００８】
本考案に係る埃取りシートは、基材シート１に粘着剤層２が設けられている。基材シート１としては、従来公知の紙シート、布シート、プラスチックシート等が用いられる。一般的に、基材シート１の片面に粘着剤層２が設けられ、他面には絵柄や文字等が印刷されている。そして、粘着剤層２の表面には、剥離シート３が貼着されて商品として提供され、埃取り時に、剥離シート３は剥がして使用する。埃取りが終われば、このシートは廃棄され、使い捨て商品として使用されるのが、一般的である。また、基材シート１の他面に離型処理を施しておくことによって、これをロール状に巻回し商品として提供することもできる。巻回は、粘着剤層２を表面にするように行われるのが、一般的である。このようなロール状の商品は、衣服に付着した埃を取るために使用されることもあるが、多くの場合、把手の先に装着して、床の埃やゴミを取るために使用される。そして、多量の埃が粘着剤層２に付いて、それ以上の埃が付着し得なくなると、巻回された埃取りシートを巻き戻して、多量の埃が付いている部分を破り取って、新しい粘着剤層２面を現出させて、再び、床の埃やゴミを取るため使用される。
【０００９】
粘着剤層２は、従来公知のアクリル系粘着剤、ゴム系粘着剤、ビニル系粘着剤、シリコーン系粘着剤等によって形成されている。本考案においては、従来公知の粘着剤であれば、これを用いて粘着剤層２を形成することができる。最も好ましいのは、酢酸ビニル−アクリル酸エステル共重合体よりなる粘着剤を用いて粘着剤層２を形成するのがよい。この粘着剤は、適度の弾性を有するため、運搬中や携帯中の振動を吸収し、粘着剤層２に内包されているマイクロカプセルの膜が破れるのを防止しうるからである。そして、手指で基材シート１を把持して、衣服表面を軽く叩く程度の外力は吸収できず、このときには、マイクロカプセルの膜が破れるからである。
【００１０】
粘着剤層２には、マイクロカプセル４が混在している。具体的には、図１の（ｂ）に示すように、マイクロカプセル４が粘着剤層２に内包されているのが好ましい。マイクロカプセル４の一部が、粘着剤層２の表面に突き出していると、剥離紙３を貼着する工程等で、マイクロカプセル４が破れてしまうからである。マイクロカプセル４を粘着剤層２に内包するには、マイクロカプセル４の粒径を粘着剤層２の厚みよりも小さくすればよい。つまり、粘着剤層２の厚みを、マイクロカプセル４の粒径よりも大きくすればよい。たとえば、マイクロカプセル４の粒径が、５〜１５μｍのものを使用した場合には、粘着剤層２の厚みを１５μｍを超える厚み、好ましくは２０〜２５μｍ程度にすればよい。
【００１１】
マイクロカプセル４は、合成樹脂膜５が略球状となっており、その中空部に香料６が収納されている。つまり、香料６が合成樹脂膜５で囲繞されてなるものである。合成樹脂膜５の素材としては、従来公知の天然樹脂及び合成樹脂が用いられる。本考案においては、あまり一般的ではないが、硬化型合成樹脂を用いるのが好ましい。この理由は、天然樹脂は吸湿性のものが多く、香料６を徐々に放出する傾向があり、非硬化型のポリエチレン等の合成樹脂は、弾性が比較的高く、埃取りの際の外力程度の負荷では、破れにくい傾向があるからである。硬化型合成樹脂は、香料６が徐々に放出されることも少なく、また、比較的低弾性で脆い傾向があり、埃取りの際の外力程度の負荷で破れやすいので、好ましいのである。特に、硬化型合成樹脂の中でも、メラミン樹脂が最も好ましい。
【００１２】
香料６としては、従来公知のものであれば、どのようなものでも使用しうる。一般的には、多数の香料成分を調合した調合香料が用いられる。香料成分としては、ピーチ、ローズ、ムスク、シダウッド、ユーカリ等が用いられる。香料６は、マイクロカプセル４内では、液体として存在している。そして、マイクロカプセル４の合成樹脂膜５が破れると、揮発して芳香を放つのである。
【００１３】
また、本考案においては、マイクロカプセル４の内容物として、香料以外の液体成分も用いることができる。たとえば、抗菌剤，洗浄剤，消臭剤等といった芳香を放つ物質以外の物質を用いてもよい。この場合は、埃取りの際に、芳香を放つのではなく、抗菌成分を衣服等に付与したり、洗浄成分によって衣服等の汚れを落とすといった別の作用を奏する。もちろん、粘着剤層２の中に、香料６を内包したマイクロカプセル４と、その他の物質を収納したマイクロカプセルとの両者を混在させておいてもよい。
【００１４】
マイクロカプセル４は、従来公知の方法で得ることができ、たとえば、以下のような方法で得ることができる。まず、分散媒中に香料６を投入し、香料６を液滴にして分散させる。次に、合成樹脂溶液を用いて、香料６の液滴表面に膜を形成する。その後、液滴表面に形成された膜を硬化剤を用いて硬化させて、合成樹脂膜５とすればよい。マイクロカプセル４の粒径は任意であるが、一般的には、５〜２０μｍの範囲内のものがよい。
【００１５】
また、粘着剤層２にマイクロカプセル４を混在させるには、粘着剤にマイクロカプセル４を添加混合した後、この粘着剤を基材シート１に塗布すればよい。粘着剤は、一般的に、水系合成樹脂溶液又は水系合成樹脂エマルジョンの形態で、マイクロカプセル４と混合され、また基材シート１に塗布される。そして、溶液中又はエマルジョン中の水を蒸発させれば、マイクロカプセル４を混在した粘着剤層２が形成される。この粘着剤層２表面に、剥離シート３を貼着すれば、埃取りシートを得ることができる。また、基材シート１として背面（粘着剤層２が設けられている面と反対面）が離型加工されたものを用いて、背面を内側とし粘着剤層２を外側として巻回すれば、ロール状の埃取りシートを得ることができる。なお、上記方法では、マイクロカプセル４を水系合成樹脂溶液又は合成樹脂エマルジョン中に添加混合したが、水系のものに代えて、溶剤系合成樹脂溶液又は溶剤系合成樹脂エマルジョンといった溶剤系のものを用いてもよい。しかしながら、溶剤系のものを用いると、マイクロカプセル４の合成樹脂膜５を溶解させる恐れがあるので、なるべく、水系のものを用いるのが良い。
【００１６】
本考案に係る埃取りシートは、たとえば、図１に示すような平面形状のものは、携帯に便利であり、剥離シート３を剥離して、粘着剤層２を露出させ、これで衣服表面を叩けば、衣服に付着した埃を除去しうると共に、叩いた外力によって粘着剤層２に混在しているマイクロカプセル４の合成樹脂膜５が破れて、芳香を放つ。そして、使用後は、そのまま廃棄して、使い捨ての埃取りシートとして用いることができる。また、ロール状に巻回した埃取りシートは、把手の先に装着し、床等の表面を転がして、床の埃やゴミを除去すると共に、転がすときの外力によって、マイクロカプセル４の合成樹脂膜５が破れて、芳香を放つ。そして、使用後は、埃やゴミの付着した部分を取り去れば、新しい粘着剤層２が現出し、再び使用可能な状態となる。
【考案の効果】
【００１７】
本考案に係る埃取りシートは、粘着剤層に、香料を合成樹脂膜で囲繞してなるマイクロカプセルが混在若しくは内包されている。したがって、香料は合成樹脂膜で覆われているので、この状態での香料の揮発は殆どなく、芳香を放つことはない。しかるに、埃取りの際、粘着剤層で衣服等の表面を叩くと、その外力によって、マイクロカプセルの合成樹脂膜が破れて、内容物である香料が揮発して芳香を放つ。したがって、本考案に係る埃取りシートを用いると、携帯時や保存時には芳香を殆ど生じないが、埃取りの際に、埃の除去と共に、芳香を生じるという効果を奏する。
【実施例】
【００１８】
ローズを主体とする香料をメラミン樹脂膜で囲繞した、粒径５〜１５μｍの香料マイクロカプセル（日本カプセルプロダクツ社製）を準備した。この香料マイクロカプセルは、香料７０〜７７質量％とメラミン樹脂膜２３〜３０質量％よりなるものである。
【００１９】
一方、酢酸ビニル−アクリル酸エステル共重合体４６〜４９質量％、水４５〜４９質量％、その他防黴剤等からなる酢酸ビニル−アクリル酸エステル共重合エマルジョンを準備した。そして、この共重合エマルジョン１００質量部に対して、香料マイクロカプセル２質量部を添加混合して、マイクロカプセル含有共重合エマルジョンを得た。
【００２０】
このマイクロカプセル含有共重合エマルジョンを、基材シートであるアート紙［日本製紙社製、商品名「オーロラコート」（登録商標）］の片面に、コーターで塗布し、乾燥させて粘着剤層を得た。その後、粘着剤層表面に、剥離シートである剥離紙（リンテック株式会社製、商品名「ＫＰ−８Ｂ」）を貼着して、埃取りシートを得た。
【００２１】
この埃取りシートは、剥離紙を剥がして、粘着剤層で衣服表面を叩くと、衣服に付着している埃をよく除去できると共に、ローズの香りが漂い、しかも衣服にローズの香りが付いた。
【図面の簡単な説明】
【００２２】
【図１】（ａ）は本考案の一例に係る埃取りシートの模式的側面図であり、（ｂ）は埃取りシートの一部を拡大した模式的拡大図である。
【図２】本考案で用いるマイクロカプセルの模式的断面図である。
【符号の説明】
【００２３】
１      基材シート
２      粘着剤層
３      剥離シート
４      マイクロカプセル
５      合成樹脂膜
６      香料
【図１】
0003134457.tif 000003
【図２】
0003134457.tif 000004